(57)【要約】【課題】耐久性を確保しつつ、容易に製造することが可能な液体供給針、液体供給装置及び液体噴射装置を提供する。【解決手段】中空のインク供給針２４は、インクを収容するインクカートリッジ２０からインクを取り出すために、インクカートリッジ２０のインク取り出し部３２に差し込まれてインクカートリッジ２０内の弁体３６に先端形成部材４５が当接するとともに、インクが流通可能な内部空間４３を有するパイプ部と、該内部空間４３と外部とを連通する連通孔４６とを備える。そして、先端形成部材４５を、パイプ部を形成する第１材料とは異なるとともに弁体３６よりも硬い第２材料によって形成した。【選択図】図４
2012196776.tif 000002
【特許請求の範囲】
【請求項１】
液体を収容する液体収容体に当接する先端部分と、前記液体が流通可能な内部空間を有するパイプ部と、該内部空間と外部とを連通する連通孔とを備えた中空の液体供給針であって、
前記先端部分を、前記パイプ部を形成する第１材料とは異なるとともに、前記先端部分が当接する前記液体収容体の被当接部材よりも硬い第２材料によって形成したことを特徴とする液体供給針。
【請求項２】
前記先端部分のうち、前記被当接部材と当接する部分を含む一部が前記第２材料によって形成されていることを特徴とする請求項１に記載の液体供給針。
【請求項３】
前記先端部分は、前記第１材料からなるとともに凹部を形成した凹部形成部と、前記凹部に嵌め込まれた先端形成部材とからなることを特徴とする請求項２に記載の液体供給針。
【請求項４】
前記先端形成部材は、前記内部空間と隔絶されていることを特徴とする請求項３に記載の液体供給針。
【請求項５】
前記液体供給針は、前記内部空間と連通するとともに前記液体が消費される下流側に該液体を供給するための液体供給路を形成する液体供給路形成部材と一体に形成され、
前記液体供給路形成部材は、熱可塑性樹脂材料によって形成されていることを特徴とする請求項４に記載の液体供給針。
【請求項６】
請求項１〜請求項５のうちいずれか一項に記載の液体供給針と、前記内部空間と連通するとともに前記液体が消費される下流側に該液体を供給するための液体供給路を形成する液体供給路形成部材と
を備えたことを特徴とする液体供給装置。
【請求項７】
前記液体を噴射可能な液体噴射ヘッドと、
該液体噴射ヘッドに前記液体を供給する液体供給手段と
を備え、
前記液体供給手段を請求項６に記載の液体供給装置によって構成したことを特徴とする液体噴射装置。
【発明の詳細な説明】
【技術分野】
【０００１】
本発明は、例えば、インクジェット式プリンターなどの液体噴射装置、該液体噴射装置に備えられる液体供給装置、及び該液体供給装置に備えられる液体供給針に関する。
【背景技術】
【０００２】
一般に、液体噴射装置の一種として、インクジェット式プリンターが広く知られている。インクジェット式プリンターは、液体としてのインクを噴射する記録ヘッド（液体噴射ヘッド）を備え、該記録ヘッドにインクを供給するためにインクカートリッジ（液体収容体）が挿抜可能に装填される構成となっている。
【０００３】
インクカートリッジの装填方式には、プリンターに移動可能に設けられたキャリッジの上部にインクカートリッジが装填されるオンキャリッジタイプと、プリンター本体に設けられたカートリッジホルダーにインクカートリッジを装填するオフキャリッジタイプとが知られている。
【０００４】
オンキャリッジタイプでは、キャリッジの上部に装填装置（液体供給装置）のインク供給針（液体供給針）が突設され、装填されたインクカートリッジ内のインクは、そのインク取り出し口（液体取り出し部）に差し込まれたインク供給針の針孔（連通孔）を通じてキャリッジ側のインク流路（液体供給路）へ送られてキャリッジ下部に設けられた記録ヘッドに供給される構成となっている。一方、オフキャリッジタイプの場合、カートリッジホルダーにインク供給針が備えられ、装填されたインクカートリッジ内のインクは、そのインク取り出し口に差し込まれたインク供給針の針孔を通じてインク供給チューブへ送られてサブタンク等を介して記録ヘッドに供給される構成となっている。
【０００５】
そして、従来、上述したようなインク供給針としては、例えば特許文献１に示すものが知られている。この特許文献１のインク供給針は、円盤状基板の上面中心に一体成形された樹脂製の円形パイプと、該円形パイプ内の中心位置に同軸状態で装着された金属製の先端が尖った円柱状の心棒とで構成されている。この場合、円形パイプの内周面には周方向に沿って等間隔に複数の内歯が形成されることで、円形パイプの内周面と心棒の外周面との間にインクが流れる複数本の微細なインクオリフィスが形成されている。
【０００６】
そして、このインク供給針は、装填されたインクカートリッジのインク取り出し口に差し込まれた場合に、硬い金属製の心棒がインクカートリッジ内の弁体（相手部材）を押圧することで、該弁体を開弁するようになっている。
【先行技術文献】
【特許文献】
【０００７】
【特許文献１】特開２００４−９８６６１号公報
【発明の概要】
【発明が解決しようとする課題】
【０００８】
ところで、特許文献１のインク供給針は、装填されたインクカートリッジのインク取り出し口に差し込まれた場合に、弁体からの反力を硬い金属製の心棒で受けるように構成されているため、耐久性を確保することはできる。しかしながら、このインク供給針は、微細なインクオリフィスを形成するべく、円形パイプ内の中心位置に心棒を同軸状態で極めて精密に支持しなければならないため、その製造が困難になってしまうという問題がある。
【０００９】
本発明は、このような従来技術に存在する問題点に着目してなされたものである。その目的とするところは、耐久性を確保しつつ、容易に製造することが可能な液体供給針、液体供給装置及び液体噴射装置を提供することにある。
【課題を解決するための手段】
【００１０】
上記目的を達成するために、本発明の液体供給針は、液体を収容する液体収容体に当接する先端部分と、前記液体が流通可能な内部空間を有するパイプ部と、該内部空間と外部とを連通する連通孔とを備えた中空の液体供給針であって、前記先端部分を、前記パイプ部を形成する第１材料とは異なるとともに、前記先端部分が当接する前記液体収容体の被当接部材よりも硬い第２材料によって形成した。
【００１１】
この発明によれば、液体供給針は、被当接部材に当接する先端部分が被当接部材よりも硬い第２材料によって形成されているため、先端部分が相手部材との係合によって変形したり摩耗したりし難くなる。すなわち、先端部分だけを第２材料によって形成するだけで耐久性が確保される。したがって、液体供給針を、耐久性を確保しつつ容易に製造することが可能となる。
【００１２】
本発明の液体供給針は、前記先端部分のうち、前記被当接部材と当接する部分を含む一部が前記第２材料によって形成されている。
この発明によれば、先端部分全体を第２材料によって形成する場合に比べて、第２材料の使用量を抑えることが可能となる。特に第２材料が高価である場合には、製造コストを大幅に削減することができる。
【００１３】
本発明の液体供給針において、前記先端部分は、前記第１材料からなるとともに凹部を形成した凹部形成部と、前記凹部に嵌め込まれた先端形成部材とからなる。
この発明によれば、先端形成部材を別体として製造することができるので、液体供給針を容易に製造することが可能となる。
【００１４】
本発明の液体供給針において、前記先端形成部材は、前記内部空間と隔絶されている。
この発明によれば、先端形成部材が内部空間の形成に関与しないため、先端形成部材の形成精度が低下しても内部空間の形成精度が低下しないようにすることが可能となる。
【００１５】
本発明の液体供給針において、前記液体供給針は、前記内部空間と連通するとともに前記液体が消費される下流側に該液体を供給するための液体供給路を形成する液体供給路形成部材と一体に形成され、前記液体供給路形成部材は、熱可塑性樹脂材料によって形成されている。
【００１６】
この発明によれば、液体供給路形成部材に溝を形成して、該溝を熱可塑性樹脂製のフィルムで覆うように溶着することで、液体供給路形成部材に溝とフィルムとで構成される液体供給路を容易に形成することが可能となる。
【００１７】
本発明の液体供給装置は、上記構成の液体供給針と、前記内部空間と連通するとともに前記液体が消費される下流側に該液体を供給するための液体供給路を形成する液体供給路形成部材とを備えた。
【００１８】
この発明によれば、上記構成の液体供給針と同様の作用効果を得ることが可能となる。
本発明の液体噴射装置は、前記液体を噴射可能な液体噴射ヘッドと、該液体噴射ヘッドに前記液体を供給する液体供給手段とを備え、前記液体供給手段を上記構成の液体供給装置によって構成した。
【００１９】
この発明によれば、上記構成の液体供給装置と同様の作用効果を得ることが可能となる。
【図面の簡単な説明】
【００２０】
【図１】実施形態におけるインクジェット式プリンターの斜視図。
【図２】同プリンターのキャリッジの正面模式図。
【図３】（ａ）はインクカートリッジのインク取り出し部を示す要部拡大断面模式図、（ｂ）は記録ヘッドに接続されたインク供給装置を示す要部拡大断面模式図。
【図４】インクカートリッジのインク取り出し部にインク供給装置のインク供給針を差し込んだときの状態を示す要部拡大断面模式図。
【図５】（ａ）、（ｂ）はともに変更例におけるインク供給針の要部拡大断面模式図。
【発明を実施するための形態】
【００２１】
以下、本発明をインクジェット式プリンターに具体化した一実施形態を図面に基づいて説明する。なお、以下の説明において、「前後方向」、「上下方向」及び「左右方向」をいう場合は、特に説明がない限り、図１を基準とした場合の「前後方向」、「上下方向」及び「左右方向」と一致するものとする。
【００２２】
図１に示すように、液体噴射装置としてのインクジェット式プリンター１１は、略矩形箱状をなす本体フレーム１２を備えている。本体フレーム１２内の下部には、その長手方向である左右方向に沿って延びる矩形板状の支持台１３が設けられている。支持台１３上には、本体フレーム１２の背面下部に設けられた紙送りモーター１４の駆動に基づき、図示しない紙送り機構によりターゲットとしての記録用紙Ｐが後方側から給送されるようになっている。
【００２３】
本体フレーム１２内における支持台１３の上方には、該支持台１３の長手方向に沿ってガイド軸１５が架設されている。ガイド軸１５には、該ガイド軸１５の軸線方向（左右方向）に沿って往復移動可能にキャリッジ１６が支持されている。すなわち、キャリッジ１６には左右方向に貫通するように支持孔１６ａが形成されるとともに、該支持孔１６ａにガイド軸１５が挿通されることにより、キャリッジ１６がガイド軸１５によって左右方向に往復移動可能に支持されている。
【００２４】
本体フレーム１２の後壁内面におけるガイド軸１５の両端部と対応する位置には、駆動プーリー１７ａ及び従動プーリー１７ｂが回転自在に支持されている。駆動プーリー１７ａにはキャリッジ１６を往復移動させる際の駆動源となるキャリッジモーター１８の出力軸が連結されている。
【００２５】
各プーリー１７ａ，１７ｂ間には、一部がキャリッジ１６に連結された無端状のタイミングベルト１７が掛装されている。従って、キャリッジ１６は、キャリッジモーター１８の駆動力により、ガイド軸１５にガイドされながら無端状のタイミングベルト１７を介して左右方向に移動されるようになっている。
【００２６】
図１及び図２に示すように、キャリッジ１６上には、内部に液体としての複数色（本実施形態では、ブラック、シアン、イエロー、マゼンタの４色）のインクが互いに隔絶された状態で収容された液体収容体としてのインクカートリッジ２０が着脱可能に装着されている。
【００２７】
一方、キャリッジ１６の下部には、液体噴射ヘッドとしての記録ヘッド１９が設けられている。記録ヘッド１９の下面には、各色のインクを噴射するための複数のノズル２１が開口している。各ノズル２１は、前後方向に並んでなる複数（本実施形態では４列）のノズル列を形成している。各ノズル列は、左右方向において互いに等間隔で平行に並んでいる。
【００２８】
また、キャリッジ１６における記録ヘッド１９上には、液体供給手段としての液体供給装置を構成するインク供給装置２２が配置されている。インク供給装置２２は、記録ヘッド１９に接続される平板状の液体供給路形成部材としてのインク供給路形成部材２３と、該インク供給路形成部材２３上に一体となるように立設されるとともにインクカートリッジ２０が接続される複数（本実施形態では４つ）の液体供給針としての中空のインク供給針２４とを備えている。
【００２９】
そして、インクカートリッジ２０内のインクは、記録ヘッド１９に備えられた図示しない圧電素子の駆動により、インクカートリッジ２０からインク供給装置２２を介して記録ヘッド１９へと供給され、該記録ヘッド１９の各ノズル２１から支持台１３上に給送された記録用紙Ｐに噴射されて印刷が行われるようになっている。
【００３０】
なお、本体フレーム１２内の右端部に位置する記録用紙Ｐと対応しないホームポジション領域（非印刷領域）には、非印刷時に記録ヘッド１９のクリーニング等のメンテナンスを行うためのキャップ２５等を有するメンテナンス機構２６が設けられている。
【００３１】
図３（ａ）、（ｂ）に示すように、インクカートリッジ２０は、各色のインクをそれぞれ収容するインク室３０を内部に有するケース３１を備えている。ケース３１の下面における各インク供給針２４と対応する位置には、各インク室３０のインクをそれぞれ取り出すべく各インク供給針２４が差し込まれる液体取り出し部としてのインク取り出し部３２が設けられている。
【００３２】
インク取り出し部３２は凹部３３を備えるとともに、該凹部３３の下端の開口部３３ａは薄くて軟らかい合成樹脂製のフィルムシート３４が貼着されることによって閉塞されている。凹部３３内の下部には、エラストマーよりなる円筒状のパッキン３５が設けられている。パッキン３５の内径は、上側よりも下側の方が大きくなっている。すなわち、パッキン３５における下側の内径はインク供給針２４の外径よりも大きく、且つパッキン３５における上側の内径はインク供給針２４の外径よりも若干小さくなっている。
【００３３】
パッキン３５の上端の開口部３５ａは、ポリプロピレンよりも硬い材料であるポリアセタールによって形成されるとともに上端が開口した有底円形箱状をなす被当接部材としての弁体３６によって閉塞されている。凹部３３の底壁（上壁）３７における弁体３６の真上の位置には、下側に突出する凸部３８が設けられている。凸部３８内には、インク室３０と凹部３３内とを連通する連通路３８ａが形成されている。凹部３３の底壁３７と弁体３６との間には、弁体３６を下側に向かって付勢する圧縮コイルばね３９が介在している。
【００３４】
すなわち、圧縮コイルばね３９の上端は凸部３８を囲むように底壁３７の下面に当接しているとともに、圧縮コイルばね３９の下端は弁体３６の内底面に当接している。したがって、圧縮コイルばね３９は、その付勢力によって、常に弁体３６をパッキン３５の上端に密着させた閉弁状態、すなわち弁体３６が開口部３５ａを閉塞した状態に維持している。この場合、パッキン３５の上端は、弁体３６の弁座として機能するようになっている。
【００３５】
記録ヘッド１９内には、各ノズル２１と連通するとともにインクを貯留するインク貯留室１９ａが設けられている。そして、このインク貯留室１９ａは、図示しない流路を介してインク供給路４２と連通している。インク供給針２４は、円形のパイプ部（円筒状の部分）と、該パイプ部の上端に設けられた円錐部（円錐状の部分）とを有している。パイプ部は、内部にインクが流通可能な内部空間４３を有している。そして、この内部空間４３は、インク供給路４２と連通している。円錐部には、内部空間４３からパイプ部の軸線方向に沿って外部に貫通する２つの連通孔４６が形成されている。
【００３６】
インク供給針２４の先端部分（円錐部）は、凹部としての嵌合凹部４４を形成する凹部形成部と、該嵌合凹部４４に嵌め込まれるとともに先端が尖ったブロック状の先端形成部材４５とからなっている。したがって、先端形成部材４５は、インク供給針２４の先端部分（円錐部）の一部を構成している。また、先端形成部材４５は、嵌合凹部４４（凹部形成部）によって囲まれることで、各連通孔４６や内部空間４３と隔絶されている。
【００３７】
先端形成部材４５は、弁体３６を形成する材料であるポリアセタールよりも硬い材料である第２材料としての変性ポリフェニレンエーテルによって形成されている。この変性ポリフェニレンエーテルは、非結晶性のエンジニアリングプラスチックの一種であって、ポリフェニレンエーテルとポリスチレンとのポリマーアロイによって構成されている。
【００３８】
一方、先端形成部材４５を除くインク供給針２４は、熱可塑性樹脂の一種であってガスバリア性及び水分非透過性に優れた材料である第１材料としてのポリプロピレンによって成形されている。なお、変性ポリフェニレンエーテルは、ポリプロピレンに比べて極めて高価な材料である。
【００３９】
また、インク供給路形成部材２３の下面には、溝４０が形成されるとともに、該溝４０を覆うようにポリプロピレン製のフィルムカバー４１が溶着されている。そして、本実施形態では、インク供給路形成部材２３とインク供給針２４とによってインク供給装置２２が構成されている。
【００４０】
さらに、本実施形態では、溝４０とフィルムカバー４１とで囲まれた空間により、インク供給装置２２よりも下流側に位置するとともにインクを噴射して消費する記録ヘッド１９にインクを供給するための液体供給路としてのインク供給路４２が構成されている。なお、２つの連通孔４６は、インク供給針２４の先端部分における先端形成部材４５の先端よりもパイプ部側の位置に位置している。
【００４１】
次に、インク供給装置２２にインクカートリッジ２０を装着する際の作用について説明する。
さて、インク供給装置２２にインクカートリッジ２０を装着する場合には、図３（ａ）、（ｂ）に示すように、まず、インクカートリッジ２０のインク取り出し部３２とインク供給装置２２のインク供給針２４とを上下方向において対向させる。続いて、インク取り出し部３２をインク供給針２４の先端形成部材４５にあてがった後、インクカートリッジ２０を真下に向かって押圧する。
【００４２】
すると、インク供給針２４によってフィルムシート３４が突き破られて、インク供給針２４の先端形成部材４５の先端が弁体３６に当接する。さらに、インクカートリッジ２０を真下に向かって押圧すると、インク供給針２４によって、パッキン３５の内径が広げられるとともに、弁体３６が圧縮コイルばね３９の付勢力に抗して押し上げられる。すると、図４に示すように、パッキン３５がインク供給針２４のパイプ部に密着することでパッキン３５とインク供給針２４とのシールが確保されるとともに、弁体３６がパッキン３５の上端から離間した開弁状態、すなわち弁体３６が開口部３５ａを開放した状態となる。こうしてインク供給装置２２へのインクカートリッジ２０の装着が完了する。
【００４３】
このとき、インクカートリッジ２０のインク取り出し部３２の凹部３３内におけるパッキン３５よりも上側の空間にはインク室３０のインクが連通路３８ａを通って既に流れ込んでいるとともに、該空間にインク供給針２４の連通孔４６が位置している。このため、インクカートリッジ２０内のインクは、インク供給針２４の連通孔４６から内部空間４３に流れ込んだ後、インク供給路４２及び図示しない流路を経由して記録ヘッド１９のインク貯留室１９ａに流れ込む。そして、インク貯留室１９ａに流れ込んだインクは、記録ヘッド１９に備えられた図示しない圧電素子の駆動により、各ノズル２１から噴射されて消費される。
【００４４】
ここで、インク供給装置２２にインクカートリッジ２０を装着した状態では、インク供給針２４の先端に圧縮コイルばね３９の付勢力によって弁体３６が押し付けられた状態になっている。このため、インク供給針２４における弁体３６に当接する尖った先端部分までも、弁体３６を形成する材料であるポリアセタールよりも軟らかい材料であるポリプロピレンによって形成すると、インク供給針２４の尖った先端部分が丸まったり平坦になったりするように塑性変形されてしまう。
【００４５】
この結果、現在装着しているインクカートリッジ２０のインクが空になって、新しいインクカートリッジ２０を再びインク供給装置２２に装着する際に、インク供給針２４によってフィルムシート３４が突き破られにくくなって、インクカートリッジ２０の交換作業が困難になってしまうという問題がある。
【００４６】
この点、本実施形態では、インク供給針２４における弁体３６に当接する尖った先端部分が、弁体３６を形成する材料であるポリアセタールよりも硬い材料である変性ポリフェニレンエーテルによって形成された先端形成部材４５によって構成されている。このため、先端形成部材４５の尖った先端に圧縮コイルばね３９の付勢力によって弁体３６が押し付けられても、該先端形成部材４５の尖った先端が丸まったり平坦になったりするように塑性変形や摩耗することが効果的に抑制される。
【００４７】
したがって、現在装着しているインクカートリッジ２０のインクが空になって、新しいインクカートリッジ２０を再びインク供給装置２２に装着する場合でも、先端形成部材４５の先端は尖った状態に維持されるため、インク供給針２４によってフィルムシート３４が容易に突き破られる状態が維持される。この結果、インクカートリッジ２０の交換作業を容易に行うことができる。
【００４８】
以上、詳述した実施形態によれば以下の効果を得ることができる。
（１）インク供給針２４は、インク供給路形成部材２３と一体に成形されるため、容易に製造することができる。加えて、インク供給針２４は、弁体３６に当接する尖った先端部分のみが、弁体３６を形成する材料であるポリアセタールよりも硬い材料である変性ポリフェニレンエーテルによって形成された先端形成部材４５によって構成されている。このため、先端形成部材４５の尖った先端に圧縮コイルばね３９の付勢力によって弁体３６が押し付けられても、該先端形成部材４５の尖った先端が丸まったり平坦になったりするように塑性変形や摩耗することを効果的に抑制することができる。したがって、インク供給針２４は、その耐久性を確保することができるとともに、容易に製造することができる。
【００４９】
（２）インク供給針２４における先端部分（円錐部）は、先端形成部材４５のみがパイプ部を形成するポリプロピレンに比べて高価な変性ポリフェニレンエーテルによって形成されている。このため、先端部分全体を変性ポリフェニレンエーテルによって形成する場合に比べて、製造コスト（材料コスト）を低減することができる。
【００５０】
（３）インク供給針２４における先端部分（円錐部）は、別体として形成した先端形成部材を嵌合凹部４４に嵌め込んでなる構成であるため、インク供給針２４を容易に製造することができる。
【００５１】
（４）インク供給針２４は、その先端部分を構成する先端形成部材４５が内部空間４３と隔絶された構成になっている。このため、先端形成部材４５が内部空間４３の形成に関与しないので、先端形成部材４５の形成精度が低下しても内部空間４３の形成精度が低下しないようにすることができる。加えて、先端形成部材４５が内部空間４３と隔絶されることで、先端形成部材４５を形成する材料を、ガスバリア性及び水分非透過性を考慮することなく硬さ（耐久性）に特化したものとすることができる。
【００５２】
（５）インク供給路形成部材２３は、インク供給針２４を形成する材料と同じ材料の熱可塑性樹脂材料であるポリプロピレンによって形成されている。このため、インク供給路形成部材２３の下面の溝４０を覆うようにポリプロピレン製のフィルムカバー４１を溶着することで、溝４０とフィルムカバー４１とで囲まれた空間により、記録ヘッド１９にインクを供給するためのインク供給路４２を容易に形成することができる。
（変更例）
なお、上記実施形態は以下のような別の実施形態に変更してもよい。
【００５３】
・図５（ａ）に示すように、インク供給針２４全体をポリプロピレンで形成し、該インク供給針２４の尖った先端の表面に弁体３６を形成する材料であるポリアセタールよりも硬い材料であるニッケルやクロムなどのめっきを施して金属膜５０を先端部分として形成してもよい。
【００５４】
・図５（ｂ）に示すように、インク供給針２４は、各連通孔４６が形成される先端部分全体（円錐部）を変性ポリフェニレンエーテルによって形成するとともに、先端部分以外の部分（パイプ部）をポリプロピレンによって形成してもよい。この場合、インク供給針２４を、変性ポリフェニレンエーテルとポリプロピレンとの二色成形によって成形してもよい。
【００５５】
・インク供給路形成部材２３及びインク供給針２４は、ガスバリア性及び水分非透過性を有する材料であれば、ポリプロピレン以外の合成樹脂で形成してもよい。この場合、インク供給路形成部材２３及びインク供給針２４は、熱硬化性樹脂材料で形成してもよい。
【００５６】
・先端形成部材４５は、弁体３６を形成する材料であるポリアセタールよりも硬い材料であれば、変性ポリフェニレンエーテル以外の材料によって形成してもよい。この場合、先端形成部材４５は、合成樹脂材料、金属材料、鉱物、セラミックなどで形成してもよい。
【００５７】
・インク供給針２４において、先端形成部材４５は、必ずしも内部空間４３と隔絶する必要はない。
・インクジェット式プリンター１１は、本体フレーム１２内におけるキャリッジ１６とは離間した位置に設けられたカートリッジホルダーに装着されるインクカートリッジのインクをインク供給チューブなどによって記録ヘッド１９に供給する、いわゆるオフキャリッジ方式のプリンターであってもよい。この場合、インク供給装置２２は、カートリッジホルダーに設けられる。
【００５８】
・インクジェット式プリンター１１において、ターゲットは、プラスチックフィルム、布、金属箔などであってもよい。
・上記実施形態では、液体噴射装置をインクジェット式プリンター１１に具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００５９】
１１…液体噴射装置としてのインクジェット式プリンター、１９…液体噴射ヘッドとしての記録ヘッド、２０…液体収容体としてのインクカートリッジ、２２…液体供給手段としての液体供給装置を構成するインク供給装置、２３…液体供給路形成部材としてのインク供給路形成部材、２４…液体供給針としてのインク供給針、３２…液体取り出し部としてのインク取り出し部、３６…被当接部材としての弁体、４２…液体供給路としてのインク供給路、４３…内部空間、４４…凹部としての嵌合凹部、４５…先端部分（円錐部）の一部を構成する先端形成部材、４６…連通孔。
【図１】
2012196776.tif 000003
【図２】
2012196776.tif 000004
【図３】
2012196776.tif 000005
【図４】
2012196776.tif 000006
【図５】
2012196776.tif 000007